(57)【特許請求の範囲】
【請求項１】
口部と肩部、胴部とを具えたボトル状容器であって、
胴部が、肩部に続いて膨出部を設けた上部胴部と、上部胴部よりも拡径して形成された下部胴部とから形成され、
上部胴部の側周面には、上部グリップが凹設され、
下部胴部の側周面には、下部グリップが凹設されており、
上部グリップは、一方の側面部分を残して膨出部より縮径された縮径部と、前記一方の側面と縮径部との間に凹設した指掛け凹部とを具えていることを特徴とするボトル状容器。
【請求項２】
口部と肩部、胴部とを具えたボトル状容器であって、
胴部が、上部胴部と、上部胴部よりも拡径して形成された下部胴部とから形成され、
上部胴部の側周面には、上部グリップが凹設され、
下部胴部の側周面には、上部胴部に続く中間膨出部が設けられ、その下方に下部グリップが凹設されており、
下部グリップが、左側端面にストレートラインを設け、中間膨出部から内方に傾斜する傾斜面と、縮径部を具えていることを特徴とするボトル状容器。
【発明の詳細な説明】
【技術分野】
【０００１】
ボトル状容器、とくに容器の胴部に、グリップを二個所に形成したボトル状容器に関するものである。
【背景技術】
【０００２】
上部にキャップを装着し、胴部をワンハンドで把持可能な大きさのボトル状容器において、内容液を注出するために容器を傾けたり、持ち運びする際に、しっかり容器を把持できるように、容器の胴部に把持部を形成したボトル状容器は、従来より知られている（例えば、特許文献１参照）。
【特許文献１】実公平３−３１６９１号公報
【発明の開示】
【発明が解決しようとする課題】
【０００３】
しかしながら、上記特許文献１記載のボトル状容器の把持部は、容器の胴部中央の両側に凹設した凹部であり、容器をしっかり把持するために、胴部の側方向から二つの凹部に指を掛けなくてはならず、棚などに容器が複数並び、それぞれの胴部が当接している状態では、目的の容器の胴部の凹部に指が掛けられず、容器を取り出しにくいという問題があった。
また、凹部に指を掛け、把持しなくてはならないので、指に力を入れないと容器がずり落ちるという問題があった。
【０００４】
また、容器が床等の下方にある際には、容器の胴部を側方向から把持するので、持ち上げるのに苦労するという問題があった。
さらに、内容液を使用し、内容量が少なくなると、容器の傾き量が変化して重心位置も変わり、容器の胴部中央の把持部では持つのに苦労し、内容液の注出量の微調整も難しくなるという問題があった。
【０００５】
本発明は、上記の問題を解決することを課題とし、容器が複数並び、それぞれの胴部が当接している状態でも、容器を簡単に把持することができるとともに、容器がずり落ちることを防止し、容器を把持する個所を変更することのできる二つのグリップを設けたボトル状容器を提供することを目的とする。
【課題を解決するための手段】
【０００６】
本発明は、前記問題を解決するために、ボトル状容器として、口部と肩部、胴部とを具えたボトル状容器であって、胴部が、肩部に続いて膨出部を設けた上部胴部と、上部胴部よりも拡径して形成された下部胴部とから形成され、上部胴部の側周面には、上部グリップが凹設され、下部胴部の側周面には、下部グリップが凹設されており、上部グリップは、一方の側面部分を残して膨出部より縮径された縮径部と、前記一方の側面と縮径部との間に凹設した指掛け凹部とを具えていることを特徴とする構成を採用する。
【０００７】
下部胴部のグリップの実施例として、口部と肩部、胴部とを具えたボトル状容器であって、胴部が、上部胴部と、上部胴部よりも拡径して形成された下部胴部とから形成され、上部胴部の側周面には、上部グリップが凹設され、下部胴部の側周面には、上部胴部に続く中間膨出部が設けられ、その下方に下部グリップが凹設されており、下部グリップが、左側端面にストレートラインを設け、中間膨出部から内方に傾斜する傾斜面と、縮径部を具えていることを特徴とする構成を採用する。
【発明の効果】
【０００９】
容器の胴部が、上部胴部と、上部胴部より拡径して形成された下部胴部とから形成され、上部胴部には、上部グリップが設けられ、下部胴部には、下部グリップが設けられているので、容器の使用状況に応じて、使用者が上部グリップ、または下部グリップを選択して容器の胴部をしっかり把持することができるようになった。
また、それぞれのグリップの上方に傾斜面を設けたので、手指が引っ掛かり、容器がずり落ちることを防止することができるようになった。
【発明を実施するための最良の形態】
【００１０】
次に、本発明のボトル状容器の実施形態について、図面を参照して説明する。
図１〜３において、ボトル状容器は、口部１と肩部２、胴部３と底部４とからなり、胴部３は、上部胴部５と、上部胴部５より拡径された下部胴部６とからなっている。
口部１の外周面には、中栓、或いは蓋体を被嵌するための多数の係合突起７が突設され、その下方には、ネックリング８が設けられている。
【００１１】
上部胴部５は、肩部２に続く膨出部１０と、膨出部１０より左方の側面１１部分を残して縮径された縮径部１２とを具えている。
【００１２】
図１、４に示すように、膨出部１０から縮径部１２に向かって急な傾斜面１３が形成され、縮径部１２の下方部、及び側面１１の下方部は、外方に広がる傾斜面１４が形成されている。
【００１３】
上部胴部５中間部の側面１１前後面には、縮径部１２との間に指掛け凹部１５が凹設され、側面１１は突出部となり、指掛け凹部１５内には、凸条１５ａが突設されている。
なお、突条１５ａは、凹条でもよく、また、なくてもよい。
指掛け凹部１５と縮径部１２側周面によって、上部クリップ１６が形成されている。
傾斜面１４の下部は、胴部３の中間膨出部１７となっており、上部胴部５と下部胴部６との境界となっている。
【００１４】
下部胴部６は、左端をストレートライン１８とし、中間膨出部１７より縮径された前後壁面を円弧面１９とし、左右壁面をそれより大径の円弧とした楕円形周面とを具えている。
【００１５】
図２、４に示すように、中間膨出部１７の下方には、ストレートライン１８を除いて内方に向かう急な傾斜面２０が形成されており、傾斜面２０の下方にストレートライン１８の前後を突出部２１とした卵形の最縮径部２２が形成されている。
中間膨出部１７と傾斜面２０、最縮径部２２によって下部グリップ２３が形成されている。
【００１６】
下部胴部６は、最縮径部２２を最小断面として、底部４に向かうに従って断面が拡大され、下端部２４となり、底部４に連続している。
【００１７】
次に、本実施例のボトル状容器の作用効果について説明する。
本発明のボトル状容器は、下部グリップ２３、または上部グリップ１６を握って使用することができる。  
下部胴部６の下部グリップ２３を把持して内容液を注ぐ際は、容器をストレートライン１８側に傾け、口部１から内容液を注ぐ。
下部グリップ２３を把持した際には、手の親指と人差し指の間が最縮径部２２に位置して係合し、グリップし易い形になっている。
【００１８】
また、手の親指と人差し指の間が傾斜面２０に引っ掛かるので、容器を把持して運ぶ際に、容器が下方にずり落ちることを防止することができる。
【００１９】
内容液が少なくなったり、注ぐ量を微調整して注ぐ際には、上部胴部５の上部グリップ１６を把持し、容器を側面１１の側に傾け、口部１から内容液を注ぐ。
上部胴部５の上部グリップ１６を把持した際には、親指およびその他の指先が、それぞれの指掛け凹部１５に位置して係合するとともに、親指と人差し指の間が縮径部１２に係合し、グリップし易い形になっている。
【００２０】
手の親指と人差し指の間が傾斜面１３に引っ掛かるので、容器を把持して運ぶ際に、容器が下方にずり落ちることを防止することができる。
また、上部グリップ１６の径が下部グリップ２３の径に比べ小径となっているので、把持し易い。
【００２１】
上部グリップ１６を設けたことによって、容器が床等の下方にあり、腰をかがめて容器を取る際に、下部グリップ２３を把持するのに比べ、持ち上げ易い。
手の親指およびその他の指の先を容器の前後側からそれぞれの指掛け凹部１５に掛けて、容器を持ち運ぶことができ、さらに、容器が並列され、容器の胴部が当接されていても、上部グリップ１６を把持することによって所要の容器を取り出すことができる。
【産業上の利用可能性】
【００２２】
本発明は、胴部に上部グリップと下部グリップを設けたことで、グリップ部を持ち換え、内容物を注出したり、容器を持ち運んだりと、用途に合わせて選択することができるボトル状容器として広く利用可能である。
【図面の簡単な説明】
【００２３】
【図１】本発明のボトル状容器の正面図である。
【図２】ボトル状容器の側面図である。
【図３】容器の上面図である。
【図４】ボトル横断面の説明図で、（ａ）は図１のＡ−Ａ線における切断面図（ｂ）は図１のＢ−Ｂ線における切断面図である。
【符号の説明】
【００２４】
１          口部
２          肩部
３          胴部
４          底部
５          上部胴部
６          下部胴部
７          係合突起
８          ネックリング
１０        膨出部
１１        側面
１２        縮径部
１３、１４、２０  傾斜面
１５        指掛け凹部
１５ａ      凸条
１６        上部グリップ
１７        中間膨出部
１８        ストレートライン
１９        円弧面
２１        突出面
２２        最縮径部
２３        下部グリップ
２４        下端部
【図１】
0005053057.tif 000002
【図２】
0005053057.tif 000003
【図３】
0005053057.tif 000004
【図４】
0005053057.tif 000005